(57)【要約】【課題】小型且つ薄厚で、消費電力を増大させずに、均一な強い照射光を照射領域に出射できる照明装置を提供する。【解決手段】複数のＬＥＤ光源からの出射光を、反射鏡部材２１を用いて被照明領域に向けて照射する照明装置１００であって、反射鏡部材２１が、各ＬＥＤ光源をそれぞれ凹曲面鏡２５の底部位置に配置してＬＥＤ光源からの出射光を被照明領域に向けて反射する複数の凹曲面反射部２７を有し、複数の凹曲面反射部２７が、隣接する凹曲面反射部２７の凹曲面外縁同士を重ねることで稜線４１を形成して２次元配列される。【選択図】図１
2008140627.tif 000002
【特許請求の範囲】
【請求項１】
複数のＬＥＤ光源からの出射光を、反射鏡部材を用いて被照明領域に向けて照射する照明装置であって、
前記反射鏡部材が、前記各ＬＥＤ光源をそれぞれ凹曲面鏡の底部位置に配置して前記ＬＥＤ光源からの出射光を前記被照明領域に向けて反射する複数の凹曲面反射部を有し、
前記複数の凹曲面反射部が、隣接する凹曲面反射部の凹曲面外縁同士を重ねることで稜線を形成して２次元配列されていることを特徴とする照明装置。
【請求項２】
請求項１記載の照明装置であって、
前記凹曲面反射部が、千鳥状に配列されていることを特徴とする照明装置。
【請求項３】
請求項１又は請求項２記載の照明装置であって、
前記反射鏡部材の前記２次元配列される凹曲面反射部の中央配置位置に、前記凹曲面反射部を設ける代わりに、周囲の凹曲面反射部に接続され前記光出射方向に突出して反射面を延設した中央反射部を設けたことを特徴とする照明装置。
【請求項４】
請求項３記載の照明装置であって、
前記２次元配列された凹曲面反射部の最外縁配置位置における凹曲面反射部の反射面高さと、前記中央反射部の反射面高さが、前記稜線の高さより高いことを特徴とする照明装置。
【請求項５】
請求項１〜請求項４のいずれか１項記載の照明装置であって、
前記凹曲面反射部が鏡面状の反射面であることを特徴とする照明装置。
【請求項６】
請求項３〜請求項５のいずれか１項記載の照明装置であって、
前記凹曲面反射部の配列が、前記中央反射部の中心から同心円状に複数列が環状に配置された配列であることを特徴とする照明装置。
【請求項７】
請求項１〜請求項６のいずれか１項記載の照明装置であって、
前記凹曲面反射部は、前記光出射方向に平行な断面が楕円曲線からなる凹曲面を含むことを特徴とする照明装置。
【請求項８】
請求項１〜請求項６のいずれか１項記載の照明装置であって、
前記凹曲面反射部は、前記光出射方向に平行な断面が放物線からなる凹曲面を含むことを特徴とする照明装置。
【発明の詳細な説明】
【技術分野】
【０００１】
本発明は、光源から光を凹曲面反射部にて反射して被照明領域に照射する照明装置に関し、特にダウンライトに用いて好適な照明技術に関する。
【背景技術】
【０００２】
店舗や住宅に用いられる照明装置の一つに、天井に埋め込まれて直下を照らすダウンライトがある。このダウンライトには種々の形態があるが、その一例として、構成の主要部材として逆椀状の反射鏡と、光源とを備えたものがある。反射鏡の外方には筒状のフレームが同心状に外挿され、フレームは下端にフランジ部を有する。反射鏡の頂部にはランプソケットが固定され、ランプソケットは下方に開口する装着部に片口金形光源を螺合装着可能としている。フレームの下部開口面には透光板が水平に取り付けられる（例えば特許文献１参照）。
【０００３】
ダウンライトの取付けは、天井面にフレームの外径と略同一の取付穴を穿設し、反射鏡と共にフレームを取付穴に挿入することで、フランジ部を取付穴の周縁に当接し、フレームに設けられた支持部材を、天井懐内の天井用下地部材（軽天井）等の支持部に固定する。近年、ダウンライトでは、一般的な白熱ランプに加え、白熱ランプと同型の口金を有する蛍光ランプを装着可能とするものも普及しつつある。
【０００４】
ダウンライトでは、白熱ランプ或いは蛍光ランプが点灯されると、光源からの出射光の一部が直射光となって床面へ照射されるとともに、反射鏡に向かう光が反射光となって床面へ照射され、光の利用効率が高められるようになっていた。従来、この種のダウンライトにおける反射鏡には一般的にパラボラ面が使用され、パラボラ面の焦点位置に設けられた光源からの光は、略平行光となって床面へ照射された。
【０００５】
【特許文献１】特開２００６−１２７４９号公報
【発明の開示】
【発明が解決しようとする課題】
【０００６】
しかしながら、従来のダウンライト等の照明装置においては、その光源として白熱ランプ或いは蛍光ランプが用いられていたため、次のような問題があった。すなわち、光源が線分光源としてある程度の大きさを有しているので、この光源からの光を適正に反射制御するためには、反射鏡についてもある程度の大きさを確保しておく必要がある。また、白熱ランプや蛍光ランプを取り付けるためのスペースを確保する必要があるため、この点においても反射鏡をある程度大きく設定する必要がある。さらに、光源が発熱するので、その熱の影響を考慮した反射鏡サイズを確保しておく必要がある。このようなことから、従来のダウンライトにおいては、大幅な小型化、薄型化を図ることができない問題があった。
また、白熱ランプ等では消費電力が増大することは避けられない。さらに、反射鏡サイズに対する光源サイズが大きいため、光の適正な反射制御が行い難く、均一な照射光を所望の照射領域に照射することが困難であった。
本発明は上記状況に鑑みてなされたもので、小型且つ薄厚で、消費電力を増大させずに、均一な強い照射光を照射領域に出射できる照明装置を提供することにある。
【課題を解決するための手段】
【０００７】
本発明に係る上記目的は、下記構成により達成される。
（１）  複数のＬＥＤ光源からの出射光を、反射鏡部材を用いて被照明領域に向けて照射する照明装置であって、
前記反射鏡部材が、前記各ＬＥＤ光源をそれぞれ凹曲面鏡の底部位置に配置して前記ＬＥＤ光源からの出射光を前記被照明領域に向けて反射する複数の凹曲面反射部を有し、
前記複数の凹曲面反射部が、隣接する凹曲面反射部の凹曲面外縁同士を重ねることで稜線を形成して２次元配列されていることを特徴とする照明装置。
【０００８】
この照明装置によれば、隣接する凹曲面反射部の凹曲面外縁同士が稜線を形成するように重ねられて２次元配列され、多数のＬＥＤ光源及び反射面が接近して高密度に配置可能となる。これにより、総光束量が増大可能となる。また、ＬＥＤ光源の使用により光源サイズが小さくなり、凹曲面反射部の光軸に垂直な方向の半径（凹曲面反射部全体の半径）が小さくなるとともに、凹曲面外縁同士が重ねられることで、反射面の光軸方向の長さ（凹曲面反射部全体の高さ）も短縮可能となる。
【０００９】
（２）  （１）記載の照明装置であって、
前記凹曲面反射部が、千鳥状に配列されていることを特徴とする照明装置。
【００１０】
この照明装置によれば、凹曲面反射部が近接して２次元配置可能となり、凹曲面反射部同士の離間距離が短くなる。具体的に例えば一つの凹曲面反射部を囲んで放射方向に６つの凹曲面反射部が並ぶ六角形の配置パターンを複数集合させた配列とできる。これにより、凹曲面反射部の高密度な配置が可能となり、装置のコンパクト化が可能となる。
【００１１】
（３）  （１）又は（２）記載の照明装置であって、
前記反射鏡部材の前記２次元配列される凹曲面反射部の中央配置位置に、前記凹曲面反射部を設ける代わりに、周囲の凹曲面反射部に接続され前記光出射方向に突出して反射面を延設した中央反射部を設けたことを特徴とする照明装置。
【００１２】
この照明装置によれば、上記した例えば一つの凹曲面反射部を囲んで放射方向に６つの凹曲面反射部が並ぶ六角形の配置パターンにおいて、中央配置の一つの凹曲面反射部が、周囲６つの凹曲面反射部の延長反射面群で置き換えられる。このように、中央配置の凹曲面反射部が周囲に配置された凹曲面反射部の延長反射面群に置換されることで、中央位置を一つの凹曲面反射部とする場合に比べ、周囲に配置された凹曲面反射部から中央側へ向く光を、照射方向へ反射光として出射させることができ、照度の均一化が可能となる。また、周囲に配置された凹曲面反射部の光利用効率が高められ、その結果、消費電力も少なくなる。
【００１３】
（４）  （３）記載の照明装置であって、
前記２次元配列された凹曲面反射部の最外縁配置位置における凹曲面反射部の反射面高さと、前記中央反射部の反射面高さが、前記稜線の高さより高いことを特徴とする照明装置。
【００１４】
この照明装置によれば、最外縁配置位置の凹曲面反射部の反射面が高いことで、反射鏡部材の外縁における装置光軸方向の反射面長が大きく確保でき、光を過剰に拡散させずに、指向性、集光性を高められ、被照明領域の輪郭が鮮明に形成可能となる。また、中央反射部の反射面が高いことで、反射鏡部材の中央部における装置光軸方向の反射面長が大きく確保でき、被照明領域の中央近傍への指向性、集光性が高まり、被照明領域における照度分布の均一化が可能となる。
【００１５】
（５）  （１）〜（４）のいずれか１項記載の照明装置であって、
前記凹曲面反射部が鏡面状の反射面であることを特徴とする照明装置。
【００１６】
この照明装置によれば、反射率が高まり、損失を低減させて、消費電力を増やすことなく強い照射光を得ることができる。
【００１７】
（６）  （３）〜（５）のいずれか１項記載の照明装置であって、
前記凹曲面反射部の配列が、前記中央反射部の中心から同心円状に複数列が環状に配置された配列であることを特徴とする照明装置。
【００１８】
この照明装置によれば、一つの中央反射部を囲んで複数の凹曲面反射部が放射方向に並ぶ配置パターンが形成され、均一な円形状の被照明領域を形成できる。
【００１９】
（７）  （１）〜（６）のいずれか１項記載の照明装置であって、
前記凹曲面反射部は、前記光出射方向に平行な断面が楕円曲線からなる凹曲面を含むことを特徴とする照明装置。
【００２０】
この照明装置によれば、凹曲面反射部の第１焦点にＬＥＤ光源を配置し、第２焦点を用途に応じて被照明領域の手前又は後方に設定することで、被照明領域の面積を可変させたり、或いは任意な照度分布を設定する種々の照明効果が選択可能となる。例えば、第２焦点が被照明領域面の手前に設定されれば光線交差後の拡散光束が得られ、第２焦点が被照明領域面の後方に設定されれば光線交差前の集光光束が得られる。
【００２１】
（８）  （１）〜（６）のいずれか１項記載の照明装置であって、
前記凹曲面反射部は、前記光出射方向に平行な断面が放物線からなる凹曲面を含むことを特徴とする照明装置。
【００２２】
この照明装置によれば、凹曲面反射部の焦点にＬＥＤ光源を配置することで、被照明領域の略中心位置に平行光成分が多く照射されて、中心位置の照度の向上が図られる。
【発明の効果】
【００２３】
本発明に係る照明装置によれば、反射鏡部材がＬＥＤ光源を底部位置に配置した複数の凹曲面反射部を有し、各凹曲面反射部が隣接する凹曲面反射部の凹曲面外縁同士を重ねることで稜線を形成して２次元配列されているので、多数のＬＥＤ光源を接近させて高密度に配置でき、消費電力を増大させずに、強い均一な照射光を所望の照射領域に出射することができる。また、照明装置の光軸方向の厚み、及び光軸に垂直な方向の半径を小さくでき、特にダウンライトに適用した場合には薄厚化且つ小型化が可能となることで、従来では取り付けることのできなかった天井懐の小さい天井にも十分な照度で取付けできるようになる。
【発明を実施するための最良の形態】
【００２４】
以下、本発明に係る照明装置の好適な実施の形態について、図面を参照して詳細に説明する。
図１は本発明に係る照明装置の斜視図、図２は図１に示した照明装置の平面図、図３は図１に示した照明装置の概略的な縦断面図である。
本実施の形態による照明装置は、複数のＬＥＤ光源からの出射光を、反射鏡部材を用いて被照明領域に向けて照射するものであり、例えばダウンライトに好適に用いることができる。以下、照明装置がダウンライトである場合を例に説明する。
ダウンライト１００は、円形状に形成された反射鏡部材（ユニットリフレクタ）２１が、各ＬＥＤ光源２３をそれぞれ凹曲面鏡２５の底部位置に配置してＬＥＤ光源２３からの出射光を被照明領域に向けて反射する複数（本実施の形態では一例として３４個）の凹曲面反射部２７を一方の面側に有している。
【００２５】
反射鏡部材２１の外周にはフランジ部２９が形成され、フランジ部２９は図３に示すように天井３１に穿設された取付穴３３の周縁に当接される。反射鏡部材２１の後部は、取付穴３３へ挿入されて天井懐内で固定される。反射鏡部材２１の後部には一枚の基板３５が固定され、基板３５には上記した複数のＬＥＤ光源２３が実装されている。基板３５上の各ＬＥＤ光源２３は、複数配列された上記の凹曲面反射部２７に応じて配置されている。
【００２６】
基板３５に実装された各ＬＥＤ光源２３には駆動回路３７が接続され、駆動回路３７はＬＥＤ光源２１に発光駆動電力を供給する。この駆動回路３７としては、例えばフルレンジトランス等を用いることができる。駆動回路３７は商用電源に接続し、商用電源からの電力を、直流、交流、又はパルス状の駆動電圧に変換してＬＥＤ光源２３に供給する。ＬＥＤ光源２３は定電流駆動等によりその輝度が設定される。
【００２７】
ＬＥＤ光源２３は、紫外線発光ダイオードと、紫外線発光ダイオードからの紫外光を受けて赤色、緑色、青色発光する蛍光体とを有する。このＬＥＤ光源２３では、紫外線発光ダイオードから出射された紫外光が蛍光体に吸収されると、赤色光、緑色光、青色光を発し、これらが加色されて出射光が白色光となる。ＬＥＤ光源２３は、上記の光源他、例えば青色発光ダイオードと、この青色発光ダイオードからの青色光を黄色光に変換する蛍光体とを有するものであってもよい。この場合、ＬＥＤ光源２３では、青色発光ダイオードから出射された青色光が、蛍光体に吸収されると、蛍光体が黄色光を発し、この黄色光と吸収されなかった青色光とにより出射光が白色光となる。本実施の形態では、ＬＥＤ光源２３が紫外線発光ダイオードと赤、緑、青色発光する蛍光体を用いる場合を例に説明する。紫外線発光ダイオードは、青色発光ダイオードと比較して約２倍の発光効率であり、経済的に優れ、より高輝度の照明装置を構築できる。
【００２８】
なお、基板３５の後面にはヒートシンク３９が付設され、ヒートシンク３９は基板３５からの発熱を放熱する。
【００２９】
本実施形態の反射鏡部材２１は、図２に示すように、凹曲面反射部２７が千鳥状に配列されている。このように複数の凹曲面反射部２７が千鳥状に配列されることで、凹曲面反射部２７が稠密状態で近接した２次元配置が可能となり、凹曲面反射部２７同士の離間距離が短くなる。具体的には、例えば一つの凹曲面反射部２７を囲んで放射方向に６つの凹曲面反射部２７が並び、合計７つの凹曲面反射部２７からなる六角形の配置パターンを、外周部を重ね合わせて複数集合させた配列とすることができる。これにより、凹曲面反射部２７の高密度な配置が可能となり、ダウンライト１００のコンパクト化が可能となる。
【００３０】
ここで、複数の凹曲面反射部２７は、互いに隣接する凹曲面反射部２７の凹曲面外縁同士を重ねることで稜線４１を形成して２次元配列されている。換言すると、隣接する凹曲面反射部２７同士は、稜線４１によって凹曲面鏡２５の一部分が低く欠落して相互に接続されている。したがって、放射中心に配置される凹曲面反射部２７では、円周方向に６つの稜線４１が接続され、図２に示すように平面視で六角形となる。また、隣接する稜線４１同士の接続部は図１に示すように、急峻な峰部４３となっている。なお、この峰部４３については、頂部を丸めた構造としてもよい。
【００３１】
本実施の形態では、反射鏡部材２１の２次元配列される凹曲面反射部２７の中央配置位置に、凹曲面反射部２７を設ける代わりに、周囲の凹曲面反射部２７に接続され光出射方向（図１の上方向）に突出した反射面（凹曲面鏡）２５を延設した中央反射部４５が設けられている。
【００３２】
すなわち、一つの凹曲面反射部２７を囲んで放射方向に６つの凹曲面反射部２７が並ぶ六角形の配置パターンにおいて、中央配置の一つの凹曲面反射部２７が、周囲６つの凹曲面反射部２７の延長反射面群２５Ａで置き換えられている。つまり、中央に位置する一つの六角配置パターンのみ６つの凹曲面反射部２７からなる。このように、中央配置の凹曲面反射部２７が周囲に配置された凹曲面反射部２７の延長反射面群２５Ａに置換されることで、中央位置を一つの凹曲面反射部とする場合に比べ、周囲に配置された凹曲面反射部から中央側へ向く光を、照射方向へ反射光として出射させることができ、照度の均一化が可能となる。また、周囲に配置された凹曲面反射部２７の光利用効率が高められ、結果として消費電力も少なくなる。
【００３３】
反射鏡部材２１は、複数配列された凹曲面反射部２７の中央部に中央反射部４５が設けられることで、凹曲面反射部２７の配列が、反射鏡部材２１の中心から同心円状に複数列が環状に配置された配列となっている。これにより、一つの中央反射部４５を囲んで複数の凹曲面反射部２７が放射方向に並ぶ配置パターンが形成され、均一な円形状の被照明領域が形成可能となっている。
【００３４】
反射鏡部材２１は、樹脂材料により一体成形される。これにより、製造が簡単になり、コスト低減が図られる。また、凹曲面反射部２７同士、凹曲面反射部２７と中央反射部４５との相対的な光軸位置を高精度に保つことができる。この結果、照度にバラツキの生じない高品質のダウンライト１００が安定的に製造可能となっている。
【００３５】
反射鏡部材２１は、凹曲面反射部２７、中央反射部４５が鏡面状のコーティング反射面で形成される。凹曲面鏡２５に施されるコーティング加工面としては、例えばスパッタリングメッキによる仕上げが挙げられる。スパッタリングメッキの工程は、専用プライマーによるベースコートの塗布、真空中でのアルミ蒸着、アルミ蒸着面へのウレタンクリアーコートからなる。鏡面状の反射面によれば、反射率が高まり、損失を低減させて、消費電力を増やすことなく強い照射光を得ることができる。
【００３６】
また、ダウンライト１００は、ＬＥＤ光源２３の種類に応じて凹曲面反射部２７、中央反射部４５の表面性状を変更してもよい。ＬＥＤ光源２３が青色発光ダイオードと黄色発光蛍光体との組み合わせである場合には、凹曲面反射部２７、中央反射部４５を梨地状にすることが好ましく、これにより、ＬＥＤ光源２３からの出射光が色分離を生じることなくなり、照明光に色むらを生じさせることがない。一方、ＬＥＤ光源２３が紫外線発光ダイオードと赤色・緑色・青色発光蛍光体との組み合わせである場合には、凹曲面反射部２７、中央反射部４５を鏡面にすることが好ましい。これにより、梨地状に比べて照度アップが図られる。
【００３７】
上記構成の反射鏡部材２１を、解析モデルによって水平照度分布をシミュレーションした結果を図４に示す。図４はビーム照射によりダウンライト前方２．５ｍの位置に配置された仮想水平スクリーン上の照度分布を透視的に示した説明図である。
［ダウンライト解析モデルの諸条件］
反射鏡部材の直径    φ１２０ｍｍ
反射鏡部材の厚み        １８ｍｍ
凹曲面鏡の反射率        ９０％
ＬＥＤ光源          φ５ｍｍ（２ｉｎ），３４個
【００３８】
［上記解析モデルによって得られた結果］
光束（総量）        ８５ ｌｍ
中心照度            ２８．０ ｌｘ
端部照度            ２６．０ ｌｘ
【００３９】
上記実施の形態によるダウンライト１００では、隣接する凹曲面反射部２７の凹曲面外縁同士が稜線４１を形成するように相互に重ねられて２次元配列され、多数のＬＥＤ光源２３及び反射面が接近して高密度に配置されている。これにより、総光束量を増大できる。また、ＬＥＤ光源２３の使用により光源が小さくなり、凹曲面反射部２７の光軸に垂直な方向の半径（凹曲面反射部全体の半径）が小さくなるとともに、凹曲面外縁同士が重ねられることで、反射面（凹曲面鏡２５）の光軸方向の長さ（凹曲面反射部全体の高さ）も短縮可能となる。
【００４０】
このように、上記のように構成されたダウンライト１００によれば、反射鏡部材２１がＬＥＤ光源２３を底部位置に配置した複数の凹曲面反射部２７を有し、各凹曲面反射部２７が隣接する凹曲面反射部２７の凹曲面外縁同士を重ねることで稜線４１を形成して２次元配列されているので、多数のＬＥＤ光源２３を接近させて高密度に配置でき、消費電力を増大させずに、強い均一な照射光を所望の照射領域に出射することができる。また、ダウンライト１００の光軸方向の厚み、及び光軸に垂直な方向の半径を小さくでき、特にダウンライト１００に適用した場合には薄厚化且つ小型化が可能となり、従来では取り付けできなかった天井懐の小さい天井３１にも取付けできるようになる。
【００４１】
次に、本発明に係る照明装置の他の実施の形態によるダウンライトについて説明する。
図５は最外縁及び中央部の反射面高さが稜線の高さより高い他の実施の形態による照明装置の斜視図である。なお、図１〜図３に示した部材、部位と同一の部材、部位には同一の符号を付し重複する説明は省略する。
この実施の形態によるダウンライト２００は、第１実施形態のダウンライト１００と同様に、一つの凹曲面反射部２７を囲んで放射方向に６つの凹曲面反射部２７が並ぶ六角形の配置パターンを、外周部を重ね合わせて複数集合させた配列となっている。
【００４２】
また、反射鏡部材５１は、複数配列された凹曲面反射部２７の中央部に中央反射部４５が設けられることで、凹曲面反射部２７の配列が、反射鏡部材２１の中心から同心円状に複数列が環状に配置された配列となっている。これにより、一つの中央反射部４５を囲んで複数の凹曲面反射部２７が放射方向に並ぶ配置パターンが形成され、均一な円形状の被照明領域が形成可能となっている。
【００４３】
さらに、ダウンライト２００は、２次元配列された凹曲面反射部２７の最外縁配置位置における凹曲面反射部２７Ａの凹曲面底部（略基板実装面）からの反射面高さＨ１と、中央反射部４５の凹曲面底部（略基板実装面）からの反射面高さＨ２とが、稜線４１の峰部４３の凹曲面底部（略基板実装面）からの高さＨ３より高く設定されている。
【００４４】
本実施の形態に係る構成の反射鏡部材の解析モデルによって水平照度分布をシミュレーションした結果を図６に示す。図６は図５に示した第２実施形態による照明装置におけるビーム照射によりダウンライト前方２．５ｍの位置に配置された仮想水平スクリーン上の照度分布を透視的に示した説明図である。
［ダウンライト解析モデルの諸条件］
反射鏡部材の直径    φ１６０ｍｍ
反射鏡部材の厚み        ５０ｍｍ
凹曲面鏡の反射率          ９０％
ＬＥＤ光源              φ５ｍｍ（２ｉｎ），３４個
【００４５】
［上記解析モデルによって得られた結果］
光束（総量）          １０２ ｌｍ
中心照度            ５１．５ ｌｘ
端部照度            ５０．５ ｌｘ
【００４６】
本実施形態によるダウンライト２００では、最外縁配置位置における凹曲面反射部２７Ａの反射面が高いことで、反射鏡部材５１の外縁における装置光軸方向の反射面長（本実施の形態ではＨ１となる）が大きく確保でき、光を過剰に拡散させずに、指向性、集光性を高められ、被照明領域の輪郭が鮮明に形成可能となる。また、中央反射部４５の反射面（延長反射面群２５Ａ）が高いことで、反射鏡部材５１の中央部における装置光軸方向の反射面長が大きく確保でき、被照明領域の中央近傍への指向性、集光性が高まり、被照明領域における照度分布の均一化が可能となる。
【００４７】
上記の各実施形態によるダウンライト１００、ダウンライト２００は、凹曲面反射部２７が、光出射方向に平行な断面が楕円曲線からなる凹曲面（回転楕円曲面）で形成することが好ましい。
【００４８】
図７は凹曲面反射部が回転楕円面である場合の照度分布を表す説明図である。
凹曲面反射部２７を回転楕円曲面とした場合、凹曲面反射部２７の高さがｈ＝３０の薄厚で照度分布の均一性が優れ、凹曲面反射部２７の高さがｈ＝５０で端部照度の向上することがシミュレーションによって知見できた。
【００４９】
また、凹曲面反射部２７は、回転楕円曲面を有することで、凹曲面反射部２７の第１焦点にＬＥＤ光源２３を配置し、第２焦点を用途に応じて被照明領域の手前又は後方に設定することで、被照明領域の面積を可変させたり、或いは任意な照度分布を設定する種々の照明効果が選択可能となる。図８（ａ）に回転楕円曲面の反射面による被照射領域の照度分布の様子を概念的に示した。図示のように、第２焦点が被照明領域面の手前に設定されれば光線交差後の拡散光束が得られ、被照射領域の周辺照度が向上する。逆に、第２焦点が被照明領域面の後方に設定されれば光線交差前の集光光束が得られることになる。
なお、凹曲面反射部２７は、回転楕円曲面の代わりに平行光束が照射される放物線からなる凹曲面（パラボラ曲面）とすることもできる。図８（ｂ）にパラボラ曲面の反射面による被照射領域の照度分布の様子を概念的に示した。凹面反射部２７をパラボラ曲面とすることで、被照明領域の略中心位置に平行光成分が多く照射されて、中心位置の照度が向上する。
【００５０】
なお、本発明に係る照明装置は、凹曲面反射部の光出射方向に平行な断面が、楕円や放物線以外の任意の曲線や折れ線（双曲線、直線の複合）であってもよい。この場合においても、稜線４１が形成されるように隣接する凹曲面反射部同士を近接配置することで、複数のＬＥＤ光源２３からの集光効果、及び照度分布の均一効果が得られる。いずれの形状であっても、２次元平面内で複数の凹曲面反射部同士を近接配置することにより、１次元的な直線上距離を短縮した場合の効果よりも格段に優れた効果が得られる。
【図面の簡単な説明】
【００５１】
【図１】本発明に係る照明装置の斜視図である。
【図２】図１に示した照明装置の平面図である。
【図３】図１に示した照明装置の概略的な縦断面図である。
【図４】ビーム照射によりダウンライト前方２．５ｍの位置に配置された仮想水平スクリーン上の照度分布を透視的に示した説明図である。
【図５】最外縁及び中央部の反射面高さが稜線の高さより高い他の実施の形態による照明装置の斜視図である。
【図６】図５に示した照明装置におけるビーム照射によりダウンライト前方２．５ｍの位置に配置された仮想水平スクリーン上の照度分布を透視的に示した説明図である。
【図７】凹曲面反射部が回転楕円面である場合の照度分布を表す説明図である。
【図８】（ａ）は回転楕円曲面の反射面による被照射領域の照度分布の様子を概念的に示した説明図、（ｂ）はパラボラ面の反射面による被照射領域の照度分布の様子を概念的に示した説明図である。
【符号の説明】
【００５２】
２１，５１  反射鏡部材
２３  ＬＥＤ光源
２７  凹曲面反射部
４１  稜線
４５  中央反射部
１００，２００  照明装置
Ｈ１  最外縁配置位置の凹曲面反射部の反射面高さ
Ｈ２  中央反射部の反射面高さ
Ｈ３  稜線の高さ
【図１】
2008140627.tif 000003
【図２】
2008140627.tif 000004
【図３】
2008140627.tif 000005
【図４】
2008140627.tif 000006
【図５】
2008140627.tif 000007
【図６】
2008140627.tif 000008
【図７】
2008140627.tif 000009
【図８】
2008140627.tif 000010